(57)【特許請求の範囲】
【請求項１】
２つの袋が横並びに連接し中央シール部に縦に切り離し部が形成された二連袋の両側のシール部を一対の側部グリッパーで挟持し、かつ前記中央シール部を中央部グリッパーで挟持し、水平な移送経路に沿って移送し、その移送の過程で前記二連袋の２つの袋に対し袋口の開口及び被充填物の充填を含む包装処理を順次行い、次いで充填後の前記二連袋を開放して前記移送経路から放出し、又は前記移送経路から外し別の移送経路に沿って所定位置に移送する袋詰め包装方法において、充填後、前記二連袋の各袋を互いに反対方向に引っ張り前記切り離し部を切り離す切り離し工程が行われ、前記切り離し工程において、前記二連袋の各袋を一対のチャックで挟持し、前記側部グリッパー及び中央部グリッパーを開いた後、前記一対のチャックで前記二連袋の各袋を互いに反対方向に引っ張ることを特徴とする袋詰め包装方法。
【請求項２】
前記一対のチャックで前記二連袋の各袋の上端部を挟持することを特徴とする請求項１に記載された袋詰め包装方法。
【請求項３】
前記切り離し工程において、前記一対のチャックの間隔を前記二連袋の袋幅方向に広げ、前記二連袋の各袋を袋幅方向に引っ張ることを特徴とする請求項１又は２に記載された袋詰め包装方法。
【請求項４】
前記一対のチャックにより前記二連袋を前記移送経路から外し前記別の移送経路に沿って前記所定位置に移送し、その移送の過程で前記一対のチャックの間隔を前記二連袋の袋幅方向に広げることを特徴とする請求項３に記載された袋詰め包装方法。
【請求項５】
前記一対のチャックにより移送した前記二連袋を、前記所定位置において次工程のグリッパーに受け渡すことを特徴とする請求項４に記載された袋詰め包装方法。
【請求項６】
前記包装処理の一部として袋口のシールが含まれ、袋口のシール後、前記切り離し工程が行われることを特徴とする請求項１〜４のいずれかに記載された袋詰め包装方法。
【請求項７】
２つの袋が横並びに連接し中央シール部に縦に切り離し部が形成された二連袋の両側のシール部を一対の側部グリッパーで挟持し、かつ前記中央シール部を中央部グリッパーで挟持し、水平な移送経路に沿って移送し、その移送の過程で前記二連袋の２つの袋に対し袋口の開口及び被充填物の充填を含む包装処理を順次行い、次いで充填後の前記二連袋を開放して前記移送経路から放出し、又は前記移送経路から外し別の移送経路に沿って所定位置に移送する袋詰め包装方法において、充填後、前記二連袋の各袋を互いに反対方向に引っ張り前記切り離し部を切り離す切り離し工程が行われ、前記切り離し工程の前に、前記側部グリッパー及び中央部グリッパーで挟持された前記二連袋の各袋を袋幅方向に引っ張り、前記切り離し部の一部を切り離す予備切り離し工程が行われることを特徴とする袋詰め包装方法。
【請求項８】
前記切り離し工程の前に、前記側部グリッパー及び中央部グリッパーで挟持された前記二連袋の各袋を袋幅方向に引っ張り、前記切り離し部の一部を切り離す予備切り離し工程が行われることを特徴とする請求項１〜６のいずれかに記載された袋詰め包装方法。
【請求項９】
２つの袋が横並びに連接し中央シール部に縦に切り離し部が形成された二連袋の両側のシール部を一対の側部グリッパーで挟持し、かつ前記中央シール部を中央部グリッパーで挟持し、水平な移送経路に沿って移送し、その移送の過程で前記二連袋の２つの袋に対し袋口の開口及び被充填物の充填を含む包装処理を順次行い、次いで充填後の前記二連袋を開放して前記移送経路から放出し、又は前記移送経路から外し別の移送経路に沿って所定位置に移送する袋詰め包装方法において、充填後、前記二連袋の各袋を互いに反対方向に引っ張り前記切り離し部を切り離す切り離し工程が行われ、被充填物の充填後、前記切り離し工程の前に、前記側部グリッパー及び中央部グリッパーで挟持された前記二連袋の各袋を一対の押圧板で挟んで押圧し、同時に前記押圧板の一方に形成された凸条を前記切り離し部に沿って押し込み、前記切り離し部の一部を切り離す予備切り離し工程が行われることを特徴とする袋詰め包装方法。
【請求項１０】
被充填物の充填後、前記切り離し工程の前に、前記側部グリッパー及び中央部グリッパーで挟持された前記二連袋の各袋を一対の押圧板で挟んで押圧し、同時に前記押圧板の一方に形成された凸条を前記切り離し部に沿って押し込み、前記切り離し部の一部を切り離す予備切り離し工程が行われることを特徴とする請求項１〜６のいずれかに記載された袋詰め包装方法。
【請求項１１】
２つの袋が横並びに連接し中央シール部に縦に切り離し部が形成された二連袋の両側のシール部を挟持する一対の側部グリッパーと、前記中央シール部を挟持する中央部グリッパーの組を複数組備え、前記側部グリッパー及び中央部グリッパーが水平な移動経路に沿って間欠移動し、前記二連袋を挟持し、水平な移送経路に沿って間欠移送し、前記移送経路上の各停止位置で前記二連袋の２つの袋に対し袋口の開口及び被充填物の充填を含む包装処理工程が順次行われ、次いで充填後の前記二連袋が開放されて前記移送経路から放出され、又は前記移送経路から外れ別の移送経路に沿って所定位置に移送される袋詰め包装装置において、充填工程が行われる停止位置より下流側の停止位置の近傍に、前記二連袋の切り離し部を切り離す切り離し装置が配置され、前記切り離し装置は一対のチャックを備え、前記二連袋が前記切り離し装置が配置された停止位置に停止したとき前記一対のチャックが前記二連袋の各袋を挟持し、前記側部グリッパー及び中央部グリッパーが開いた後、前記一対のチャックの動きにより前記二連袋の各袋が互いに反対方向に引っ張られ、前記切り離し部が切り離されることを特徴とする袋詰め包装装置。
【請求項１２】
前記一対のチャックが前記二連袋の各袋の上端部を挟持することを特徴とする請求項１１に記載された袋詰め包装装置。
【請求項１３】
前記切り離し装置が、互いの間隔を広げ又は狭める前記一対のチャックを備え、前記側部グリッパー及び中央部グリッパーが開いた後、前記一対のチャックの間隔が広げられ、前記二連袋の各袋が袋幅方向に引っ張られることを特徴とする請求項１１又は１２に記載された袋詰め包装装置。
【請求項１４】
前記一対のチャックが、前記二連袋の各袋を挟持する挟持位置と、開いて前記二連袋の各袋を開放する開放位置の間を移動し、これにより前記二連袋が前記移送経路から外れ前記別の移送経路に沿って前記所定位置に移送され、前記一対のチャックが前記挟持位置から前記開放位置に移動する過程で、前記一対のチャックの間隔が広げられることを特徴とする請求項１３に記載された袋詰め包装装置。
【請求項１５】
前記一対のチャックにより移送された前記二連袋が、前記所定位置において次工程のグリッパーに受け渡されることを特徴とする請求項１４に記載された袋詰め包装装置。
【請求項１６】
前記包装処理工程の一部として袋口のシール工程が含まれ、前記切り離し装置が前記シール工程が行われる停止位置より下流側の停止位置の近傍に配置されていることを特徴とする請求項１１〜１４のいずれかに記載された袋詰め包装装置。
【請求項１７】
前記切り離し装置が配置された停止位置より上流側の停止位置の近傍に、前記二連袋の切り離し部の一部を切り離す予備切り離し装置が配置されていることを特徴とする請求項１１〜１６のいずれかに記載された袋詰め包装装置。
【請求項１８】
前記予備切り離し装置が、前記二連袋の各袋をそれぞれ両面から挟持し、かつ互いの間隔を広げ又は狭める第１，第２挟持部材を備え、前記第１，第２挟持部材は前記二連袋の各袋を挟持後互いの間隔を広げ、これにより前記二連袋の切り離し部が切り離されることを特徴とする請求項１７に記載された袋詰め包装装置。
【請求項１９】
前記予備切り離し装置が、前記移送経路の両側に配置され、水平面内で対向して前進又は後退する一対の進退ブロックを備え、各進退ブロックに先端が前記移送経路の上流側及び下流側に向けて斜めに延びる各一対の板ばねが設置され、一方の進退ブロックに設置された一対の板ばねと他方の進退ブロックに設置された一対の板ばねは、前記移送経路を挟んで略対称に配置されており、前記第１，第２挟持部材の各挟持部が、前記各板ばねの先端に設置されていることを特徴とする請求項１８に記載された袋詰め包装装置。
【請求項２０】
前記予備切り離し装置が、前記移送経路の両側に配置され、水平面内で対向して前進又は後退し、前進したとき二連袋の各袋を両面から挟んで押圧する一対の押圧板を備え、各押圧板は前記二連袋の各袋を押圧する一対の押圧部を有し、一方の押圧板の一対の押圧部の間に縦に凸条が形成され、前記一対の押圧板が前進して前記二連袋の各袋を両面から押圧したとき、同時に前記凸条が前記切り離し部に沿って押し込まれ、これにより前記切り離し部の一部が切り離されることを特徴とする請求項１７に記載された袋詰め包装装置。
【発明の詳細な説明】
【技術分野】
【０００１】
本発明は、２つの袋が横並びに連接し中央シール部に縦に切り離し部（いわゆるミシン目等）が形成された二連袋を用いた袋詰め包装方法及び装置に関し、特に袋詰め包装後に二連袋の各袋を分離した状態で所定位置に送る袋詰め包装方法及び装置に関する。
【背景技術】
【０００２】
特許文献１には、二連袋を用いた袋詰め包装方法及び装置が開示されている。特許文献１において、二連袋は両側のシール部を一対の側部グリッパーで挟持され、かつ中央シール部を中央部グリッパーで挟持される。グリッパーに吊り下げられた二連袋は、円形の移送経路に沿って間欠的に移送され、移送の過程で、二連袋を構成する２つの袋に同時に、袋口の開口、被充填物の充填，袋口のシール等の包装処理が順次行われ、シール後、２つの袋が連接したままの二連袋製品として放出され、ベルトコンベア等により次工程（梱包等）に送られる。
【０００３】
このような二連袋を用いた袋詰め包装方法は、通常の袋（収容室が１つの袋）を用いた場合に比べ、２倍の生産量が得られるという利点がある。また、二連袋を包装する袋詰め包装機には、一対の側部グリッパーと中央部グリッパーがあればよく、例えば特許文献２に示すダブル型袋詰め包装機（独立した２つの袋に対し同時に各種包装処理を施す袋詰め包装機）のように、独立した２つの袋に対し各一対の側部グリッパーを設ける場合に比べて、同じ処理能力であれば包装機に設置するグリッパーの数を減らすことができ、袋詰め包装機のコンパクト化を図ることができる。
【０００４】
特許文献１では、袋詰め包装機から２つの袋が連接したままの二連袋製品が放出される。この二連袋製品は、そのまま出荷されることもあるが、二連袋製品の２つの袋を中央シール部（予め切り離し部（ミシン目等）が形成されている）で切り離し、それぞれ独立した製品袋として出荷することが求められる場合がある。
特許文献３には、袋詰め包装機から放出された二連袋製品を前記切り離し部（ミシン目）で切り離し、２つの独立した製品袋とする切り離し装置が記載されている。
【０００５】
特許文献３に記載された切り離し装置では、別途袋詰め包装機で包装した二連袋製品を、ベルトコンベアで袋幅方向に搬送し、その搬送過程で、二連袋製品の２つの袋（前方の袋と後方の袋）をそれぞれ上下からローラで挟み、かつ前方の袋を挟んだローラの回転速度を速くし、これにより二連袋製品を前記切り離し部（ミシン目）で切り離し、２つの独立した製品袋としている。
【先行技術文献】
【特許文献】
【０００６】
【特許文献１】実開昭６２−１１５３１２号公報
【特許文献２】特開２００４-２４４０８５号公報
【特許文献３】特許第４５５０４８号公報
【発明の開示】
【発明が解決しようとする課題】
【０００７】
特許文献３の切り離し装置によれば、ローラにより二連袋製品を上下から強く挟むため、被充填物がローラにより押し潰されるおそれがある。また、二連袋がベルトコンベア上で傾斜し、前記切り離し部（ミシン目）が搬送方向に対し垂直でない場合、前記切り離し部での切り離しが不安定になるおそれがある。
本発明は、このような従来技術の問題点に鑑みてなされたもので、被充填物を充填後の二連袋を前記切り離し部で切り離し、２つの独立した袋とする場合に、被充填物を損傷することなく、かつ確実に切り離すことを目的とする。
【課題を解決するための手段】
【０００８】
本発明に係る袋詰め包装方法は、２つの袋が横並びに連接し中央シール部に縦に切り離し部が形成された二連袋の両側のシール部を一対の側部グリッパーで挟持し、かつ前記中央シール部を中央部グリッパーで挟持し、水平な移送経路に沿って移送し、その移送の過程で前記二連袋の２つの袋に対し袋口の開口及び被充填物の充填を含む包装処理を順次行い、次いで充填後の前記二連袋を前記移送経路から放出し又は前記移送経路から外して所定位置に移送する場合において、被充填物の充填後、前記二連袋の各袋を互いに反対方向に（例えば袋幅方向に）引っ張り前記切り離し部を切り離す切り離し工程が行われることを特徴とする。なお、前記切り離し部は、二連袋を同部において容易に切り離せるように、切れ目が例えば破線状又は鎖線状に断続的に連なって形成された部位であり、典型的には、切れ目が破線状に形成されたいわゆるミシン目が挙げられる。前記移送経路としては、円形、直線形、レーストラック形等、種々のものがあり得る。また、前記二連袋の移送方法として、間欠移送（特許文献１，２参照）及び連続移送（特開２００１−７２００４号公報参照）があり得る。
【０００９】
前記切り離し工程は、好ましくは、前記移送経路上において（間欠移送の場合は、好ましくは前記二連袋が前記移送経路上の所定の停止位置で停止したとき）、前記二連袋の各袋を一対のチャックで挟持し、前記側部グリッパー及び中央部グリッパーを開いた後、前記一対のチャックで前記二連袋の各袋を互いに反対方向に引っ張り、前記切り離し部を切り離す、という方法で行われる。この場合、前記一対のチャックの間隔を前記二連袋の袋幅方向に広げ、これにより前記二連袋の各袋を袋幅方向に引っ張ることが好ましい。前記一対のチャックの間隔を前記二連袋の袋幅方向に広げる操作は、前記チャックが前記二連袋を前記移送経路から外して前記所定位置に移送する役割を持つ場合、その移送の過程で行われることが好ましい。また、前記一対のチャックで挟持する部位は、前記二連袋の各袋の上端部であることが好ましい。
【００１０】
上記袋詰め包装方法において、前記包装処理に袋口のシール工程が含まれる場合、該シール工程後、前記切り離し工程が行われる。この場合、好ましくは、前記移送経路上において（間欠移送の場合は、好ましくは前記二連袋が前記移送経路上の所定の停止位置で停止したとき）、前記二連袋の各袋を前記一対のチャックで挟持する。前記一対のチャックの間隔を広げる操作は、前記チャックが前記二連袋を前記所定位置に移送する過程で行われることが好ましい。ただし、袋口のシールが行われた二連袋の各袋（製品袋）は、前記所定位置に移送することなく、切り離し工程を前記移送経路上で行い、切り離し工程後、直ちに前記チャックを開いて各袋を開放し、前記移送経路から放出してもよい。
【００１１】
上記袋詰め包装方法において、前記包装処理に袋口のシール工程が含まれない場合、前記一対のチャックにより移送した前記二連袋は、前記所定位置において次工程（例えば真空処理工程）のグリッパーに受け渡すことが好ましい。このときも、前記チャックの間隔を広げる操作は、前記チャックが前記二連袋を前記所定位置に移送する過程で行うことが好ましい。本発明で袋口のシールという場合、袋内と袋外に通気経路を残すシール、いわゆる仮シール（例えば特開２０００−１４２６２２号公報参照）は含まれない。
【００１２】
なお、上記切り離し工程は、前記二連袋を前記移送経路に沿って移送する過程（間欠移送の場合は停止中又は現に移送中）で実施することもできる。この場合、前記中央部グリッパーを開き、続いて前記一対の側部グリッパーの間隔を広げて前記二連袋の各袋を袋幅方向に引っ張り、前記切り離し部を切り離す。この方法を実施する場合、前記包装処理に袋口のシール工程が含まれ、前記シール工程後に切り離し工程が行われることが好ましく、切り離し工程後、前記側部グリッパーが開くと、二連袋の各袋（製品袋）は側部グリッパーから解放され、前記移送経路から放出される。
【００１３】
上記袋詰め包装方法において、前記切り離し工程の前に、前記切り離し部の一部（好ましくは、前記二連袋の下端から所定距離上方までの範囲）を切り離す予備切り離し工程を置くことができる。間欠移送の場合、この予備切り離し工程は、前記二連袋が前記移送経路上で停止したときに行うことが好ましい。この予備切り離し工程を実施する具体的手段として、２つ挙げることができる。
第１の手段は、前記側部グリッパー及び中央部グリッパーで挟持された前記二連袋の各袋を袋幅方向に引っ張り、前記切り離し部の一部を切り離すというものである。この予備切り離し工程は、前記二連袋の各袋に被充填物が充填される前に実施されることが好ましい。
第２の手段は、前記側部グリッパー及び中央部グリッパーで挟持された前記二連袋の各袋を一対の押圧板で挟み、同時に前記押圧板の一方に形成された凸条を前記切り離し部に沿って押し込み、前記切り離し部の一部を切り離すというものである。この予備切り離し工程は、前記二連袋の各袋に被充填物が充填された後に実施されることが好ましい。
いずれにしても、前記予備切り離し工程が行われる段階では、中央部グリッパーが中央シール部を挟持しているため、前記中央部グリッパーが挟持している上端近傍領域の切り離し部は切り離されない。
【００１４】
本発明に係る袋詰め包装装置は、上記袋詰め包装方法（前記切り離し工程に一対のチャックを用いる方法）を実施するためのもので、２つの袋が横並びに連接し中央シール部に縦に切り離し部が形成された二連袋の両側のシール部を挟持する一対の側部グリッパーと、前記中央シール部を挟持する中央部グリッパーの組を複数組備え、前記側部グリッパー及び中央部グリッパーが水平な移動経路に沿って間欠移動し、前記二連袋を挟持して吊り下げ、水平な移送経路に沿って間欠移送し、前記移送経路上の各停止位置で前記二連袋の２つの袋に対し袋口の開口及び被充填物の充填を含む包装処理工程が順次行われ、次いで充填後の前記二連袋が前記移送経路から放出され又は前記移送経路から外れて所定位置に移送される。この袋詰め包装装置では、前記移送経路上の充填工程が行われる停止位置より下流側の停止位置の近傍に、前記二連袋の切り離し部を切り離す切り離し装置が配置され、前記切り離し装置は一対のチャックを備える。前記二連袋が前記切り離し装置が配置された停止位置に停止したとき前記一対のチャックが前記二連袋の各袋を挟持し、前記側部グリッパー及び中央部グリッパーが開いた後、前記一対のチャックの動きにより前記二連袋の各袋が互いに反対方向に（例えば袋幅方向に）引っ張られ、前記切り離し部が切り離される。
【００１５】
前記切り離し装置において、前記一対のチャックは互いの間隔を広げ又は狭めることができることが好ましい。この場合、前記一対のチャックの間隔を前記二連袋の袋幅方向に広げ、これにより挟持した前記二連袋の各袋を袋幅方向に引っ張り、前記切り離し部を切り離すことができる。
前記一対のチャックの間隔は、前記一対のチャックが前記二連袋の各袋を挟持した位置（前記移送経路上の停止位置）で広げられてもよい。しかし、前記一対のチャックが、前記二連袋の各袋を挟持する挟持位置と、開いて前記二連袋の各袋を開放する開放位置の間を移動し、これにより前記二連袋が前記移送経路から外れて前記所定位置に移送されるようになっている場合、前記一対のチャックが前記挟持位置から前記開放位置に移動する過程で、前記一対のチャックの間隔が広げられることが好ましい。
前期袋詰め包装装置において、前記包装処理工程に袋口のシール工程が含まれる場合、前記切り離し装置は前記シール工程が行われる停止位置より下流側の停止位置の近傍に配置される。
前期袋詰め包装装置において、前記包装処理工程に袋口のシール工程が含まれない場合、前記二連袋は前記一対のチャックにより前記所定位置に移送され、前記所定位置で次工程（例えば真空処理工程）のグリッパーに受け渡されることが好ましい。
【００１６】
上記袋詰め包装装置において、前記切り離し装置が配置された停止位置より上流側の停止位置の近傍に、前記二連袋の切り離し部の一部（好ましくは、前記二連袋の下端から所定距離上方までの範囲）を切り離す予備切り離し装置を配置することができる。この予備切り離し装置として、具体的に２つのタイプを挙げることができる。
第１のタイプ（前記第１の手段に対応）の予備切り離し装置は、前記二連袋の各袋をそれぞれ両面から挟持し、かつ互いの間隔を広げ又は狭める第１，第２挟持部材を備え、前記第１，第２挟持部材は前記二連袋の各袋を挟持後互いの間隔を広げ、前記二連袋の切り離し部の一部を切り離す。このタイプの予備切り離し装置は、充填工程が行われる停止位置より上流側の停止位置に設置されることが好ましい。
この予備切り離し装置は、例えば、前記移送経路の両側に配置され、水平面内で対向して前進又は後退する一対の進退ブロックを備え、各進退ブロックに先端が前記移送経路の上流側及び下流側に向けて斜めに延びる各一対の板ばねが設置され、一方の進退ブロックに設置された一対の板ばねと他方の進退ブロックに設置された一対の板ばねは、前記移送経路を挟んで略対称配置されており、前記第１，第２挟持部材の各挟持部が、前記各板ばねの先端に設置されている。
【００１７】
第２のタイプ（前記第２の手段に対応）の予備切り離し装置は、前記移送経路の両側に配置され、水平面内で対向して前進又は後退し、前進したとき二連袋の各袋を両面から挟んで押圧する一対の押圧板を備え、各押圧板は前記二連袋の各袋を押圧する一対の押圧部を有し、一方の押圧板の一対の押圧部の間に縦に凸条が形成され、前記一対の押圧板が前進して前記二連袋の各袋を両面から押圧したとき、同時に前記凸条が前記切り離し部に沿って押し込まれ、これにより前記切り離し部の一部が切り離される。このタイプの予備切り離し装置は、充填工程が行われる停止位置より下流側の停止位置に設置されることが好ましい。
いずれの予備切り離し装置においても、予備切り離しを実施する際は、中央部グリッパーが中央シール部を挟持しているため、前記中央部グリッパーが挟持している上端近傍領域の切り離し部は切り離されない。
【００１８】
上記袋詰め包装装置に用いられる切り離し装置は、吊り下げられた状態の前記二連袋の各袋を挟持するとともに互いの間隔を広げ又は狭める一対のチャックを備え、前記一対のチャックは前記二連袋の各袋を挟持する挟持位置と、開いて前記二連袋の各袋を開放する開放位置の間を往復移動し、前記二連袋の各袋を挟持した前記一対のチャックが前記挟持位置から開放位置に移動する過程で、前記二連袋を所定位置に移送するとともに、前記一対のチャックの間隔が広がり、前記二連袋の切り離し部を切り離すことを特徴とする。
【発明の効果】
【００１９】
本発明に係る包装処理方法及び装置によれば、被充填物を充填後の二連袋を切り離し部で切り離し、２つの独立した袋とする場合に、被充填物を損傷することなく、確実に切り離すことができる。
また、二連袋の各袋の上端部を挟持し、挟持位置と開放位置の間を往復移動する一対のチャックを用いて、充填後の二連袋を前記移送経路から外して所定位置に移送する場合に、その移送の過程で前記一対のチャックの間隔を広げ、前記二連袋の切り離し部を切り離すようにすることで、前記一対のチャックと袋詰め包装機のグリッパーとの干渉を防止し、かつ余分の時間を費やすことなく、前記二連袋の切り離し部を切り離すことができる。
【図面の簡単な説明】
【００２０】
【図１】本発明に係る袋詰め包装装置と真空処理装置からなる２ローター式縦型充填シール装置全体平面図である。
【図２】本発明に係る袋詰め包装方法を工程順に説明する正面図及び平面図である。
【図３】続きの工程（予備切り離し工程）を説明する正面図、Ａ−Ａ矢視断面図及びＢ−Ｂ矢視断面図である。
【図４】続きの工程（充填工程）を説明する正面図及び平面図である。
【図５】続きの工程（受け渡し工程）を説明する正面図及び平面図である。
【図６】続きの工程（受け渡し工程）を説明する正面図である。
【図７】続きの工程（受け渡し工程）を説明する平面図である。
【図８】本発明に係る別の袋詰め包装方法を工程順に説明する正面図及び平面図である。
【図９】続きの工程（放出工程）を説明する正面図及び平面図である。
【図１０】続きの工程（切り離し工程）を説明する平面図である。
【図１１】本発明に係る袋詰め包装装置と真空処理装置からなる別の２ローター式縦型充填シール装置全体平面図である。
【図１２】予備切り離し工程を説明する正面図，Ａ−Ａ矢視断面図である。
【発明を実施するための形態】
【００２１】
以下、図１〜１２を参照して、本発明に係る袋詰め包装方法及び装置について、具体的に説明する。
［第１の実施の形態］
図１に示す２ローター式縦型包装処理機は、袋詰め包装装置１と真空処理装置２、両装置の間に配置され前記袋詰め包装装置１の一部である切り離し装置（図示せず）、真空処理装置２から放出された製品袋を次工程（例えば梱包工程）に向けて搬送するコンベア３、及びこれらの装置全ての作動を制御する制御装置４からなる。
この２ローター式縦型包装処理機は、袋詰め包装装置１で二連袋５（図２参照）の各袋５ａ，５ｂに被充填物を充填し、充填済みの二連袋５を前記切り離し装置で所定位置に移送して真空処理装置２に引き渡し、その移送の過程で前記切り離し装置により二連袋５を個々の袋５ａ，５ｂに分離し、真空処理装置２において袋５ａ，５ｂに対し真空処理及び袋口のシールを行うようにしたものである。
【００２２】
上記２ローター式縦型包装処理機で包装処理する二連袋５は、図２に示すように、両側のシール部６，７、中央シール部８及び下部シール部９を有し、中央シール部８に縦に切り離し部（ミシン目）１１が形成されている。従って、二連袋５は、２つの袋５ａ，５ｂがミシン目１１を介して横並びに連接した袋ということもできる。
袋詰め包装装置１は、間欠回転（図１において左回転）するテーブル１２を有する。テーブル１２の周囲に、二連袋５の両側のシール部６，７の上部を挟持する左右一対の側部グリッパー１３，１３と、中央シール部８の上部を挟持する中央部グリッパー１４の組が８組設置されている。一対の側部グリッパー１３，１３は、互いの間隔を狭め又は広げることが可能とされている。テーブル１２の間欠回転に伴い、側部グリッパー１３，１３及び中央部グリッパー１４は円形に移動経路に沿って間欠的に移動し、それに伴い、側部グリッパー１３，１３及び中央部グリッパー１４に挟持された二連袋５は、円形の移送経路に沿って間欠的に移送され、その停止位置（テーブル上の数字１〜８は停止位置を示す）の近傍に各工程（下記（１）〜（８））を実施する装置が設置されている。テーブル１２（側部グリッパー１３，１３及び中央部グリッパー１４）が一回転する間に、二連袋５の供給、各袋５ａ，５ｂの袋口の開口、及び各袋５ａ、５ｂへの被充填物の充填等の各種包装処理工程が順次行われる。
【００２３】
（１）停止位置１の近傍にコンベアマガジン式給袋装置１５が設置されている。コンベアマガジン式給袋装置１５の供給チャックプレート１６が、図２（ａ）に示すように二連袋５の上部（非シール部）を挟持して垂直姿勢で持ち上げ、側部グリッパー１３，１３及び中央部グリッパー１４に供給する。側部グリッパー１３，１３は二連袋５の両側のシール部６，７の上端部を挟持し、中央部グリッパー１４は中央シール部８の上端部を挟持し、二連袋５を吊り下げる。側部グリッパー１３，１３及び中央部グリッパー１４が二連袋５を挟持すると、供給チャックプレート１６が開いて後退し（図２（ｂ）参照）、続いてテーブル１２の間欠回転に伴い、側部グリッパー１３，１３及び中央部グリッパー１４は、挟持した二連袋５を水平な円形の移送経路２１に沿って間欠移送する。
【００２４】
（２）停止位置２の近傍に印字装置１７が設置されている。印字装置１７により二連袋５の各袋５ａ，５ｂの面に製造年月日が印字される。
（３）停止位置３の近傍に袋口開口装置１８及び予備切り離し装置（図３参照）が設置されている。
図３に示すように、袋口開口装置１８は、二連袋５の各袋５ａ，５ｂに対し互いに対向して進退する２組の吸盤１９，１９，２０，２０を備え、各吸盤１９，１９，２０，２０は前進して各袋５ａ，５ｂの袋口近傍に吸着し、後退して袋口を開口する。各吸盤１９，１９，２０，２０が後退するとき、側部グリッパー１３，１３が互いに接近する。
【００２５】
前記予備切り離し装置は、図３（ａ）に示すように、二連袋５の移送経路２１を挟んで両側に配置され、水平面内で対向して前進又は後退する一対の進退ブロック２２，２３を備える。各進退ブロック２２，２３には、それぞれ先端が移送経路２１の上流側及び下流側に向けて斜め前方に延びる一対の板ばね２２ａ，２２ｂ，２３ａ，２３ｂが設置されている。進退ブロック２２に設置された板ばね２２ａ，２２ｂと、進退ブロック２３に設置された板ばね２３ａ，２３ｂは、移送経路２１を挟んで略対称的に配置されている。板ばね２２ａ，２２ｂの先端に挟持部２４ａ，２５ａが設置され、板ばね２３ａ，２３ｂの先端に挟持部２４ｂ，２５ｂが設置され、移送経路２１に沿って上流側の挟持部２４ａ，２４ｂが一対の挟持部材２４を構成し、下流側の挟持部２５ａ，２５ｂが他の一対の挟持部材２５を構成している。
【００２６】
図３（ａ）に示すように、進退ブロック２２，２３は、各吸盤１９，１９，２０，２０とともに二連袋５の袋面に対し垂直に前進する（互いに間隔を狭める）。続いて、各吸盤１９，１９，２０，２０が二連袋５の各袋５ａ，５ｂの袋面に吸着して後退するとき、図３（ｂ）に示すように、進退ブロック２２，２３はさらに前進して、移送経路２１の上流側の挟持部材２４（挟持部２４ａ，２４ｂ）が袋５ａの両面に押し付けられ、移送経路２１の下流側の挟持部材２５（挟持部２５ａ，２５ｂ）が袋５ｂの両面に押し付けられ、挟持部材２４が袋５ａを両面から挟持し、挟持部材２５が袋５ｂを両面から挟持した形になる。このとき、板ばね２２ａ，２２ｂ，２３ａ，２３ｂが弾性変形するため、挟持部材２４は袋５ａを両面から挟持した状態で移送経路２１の上流側へ水平に移動し、挟持部材２５は袋５ｂを両面から挟持した状態で移送経路２１の下流側へ水平に移動する。これに伴い、二連袋５の袋５ａ，５ｂは袋幅方向に引っ張られ、ミシン目１１が中央シール部８の下端から所定距離上方（この例では中央部グリッパー１４の直下位置）までの範囲で切り離される。
【００２７】
（４）停止位置４の近傍に、二連袋５の各袋５ａ，５ｂに被充填物（固形物２６）を充填する固形物充填装置２７が設置されている。充填装置２７は一対のホッパー２８，２８を備え、二連袋５が停止すると、図４（ａ）に示すように、ホッパー２８，２８が袋５ａ，５ｂの袋口に挿入され、固形物２６が袋内に投入される。
（５）停止位置５の近傍に二連袋５の各袋５ａ，５ｂに被充填物（液状物２９）を充填する充填装置３１が設置されている。充填装置３１は一対の充填ノズル３２，３２を備え、二連袋５が停止すると、図４（ｂ）に示すように、充填ノズル３２，３２が袋５ａ，５ｂの袋口から挿入され、液状物２９が袋内に充填される。なお、図１において、３１ａは充填装置３１の一部である液体充填用ポンプ及びバルブである。
【００２８】
（６）停止位置６では、必要に応じて二連袋５の各袋５ａ，５ｂの仮シールが行われる。仮シールは、袋内と袋外を連通させる通気経路を残すシールを意味し、例えば特開２０００−１４２６２２号公報に記載されているように、袋の真空処理を行う場合に、袋内が急激に減圧され、液状物が爆発的に沸騰して袋外に噴出するのを防止するために行われる。袋内と袋外を連通させる通気経路を残さないシールは、仮シールに対し本シールといわれることがあるが、本発明では単にシールという。
【００２９】
（７）停止位置７の近傍に前記切り離し装置が設置されている。前記切り離し装置は、停止位置７に停止した二連袋５の袋５ａ，５ｂを挟持する挟持位置と、前記袋５ａ，５ｂを開放する開放位置の間を移動する左右一対のチャック３３，３３（図５参照）を備える。図６，７に示すように、チャック３３，３３は前記挟持位置から開放位置に向けて移動する過程で、互いの間隔を広げ、逆に、前記開放位置から挟持位置に向けて復帰移動する過程で互いの間隔を狭める（元の間隔に戻る）。この例では、一対のチャック３３，３３が互いの間隔を広げ又は狭める際、両方のチャック３３，３３を袋幅方向に対称的に移動させたが、どちらか一方のみを移動させるようにしてもよい。なお、前記切り離し装置は、チャック３３，３３を前記挟持位置から開放位置に向けて移動させる図示しない駆動源（例えばエアシリンダー）、及びチャック３３，３３の相互の間隔を広げ又は狭める図示しない駆動源（例えばエアシリンダー）を備える。
【００３０】
次に、図５〜７を参照して、チャック３３，３３による二連袋５の受け渡し工程（袋詰め包装装置１の端部グリッパー１３，１３及び中央部グリッパー１４から二連袋５を受け取り、真空包装機２のグリッパーへ袋５ａ，５ｂを引き渡す工程）について、より詳細に説明する。
図５（ａ）に示すように、二連袋５が側部グリッパー１３，１３及び中央部グリッパー１４に挟持され、移送経路２１に沿って停止位置７に向けて移送されるとき、チャック３３，３３は開いた状態で前記挟持位置に待機している。チャック３３，３３が開いたとき、各チャック３３の挟持片３３ａ，３３ａは開いて移送経路２１の両側に退避し、停止位置７に向けて移送される二連袋５と干渉しない。
【００３１】
二連袋５が停止位置７に停止すると、図５（ｂ）に示すように、チャック３３，３３が閉じて、それぞれ二連袋５の袋５ａ，５ｂの上端部を挟持する。この挟持位置において、チャック３３，３３はそれぞれ側部グリッパー１２と中央部グリッパー１３の間に配置されており、互いに干渉しない。
チャック３３，３３が二連袋５の袋５ａ，５ｂを挟持した後、図５（ｃ）に示すように、側部グリッパー１３，１３と中央部グリッパー１４が開き、以後、二連袋５はチャック３３，３３に挟持され、吊り下げられた状態で、移送経路２１から外れて所定位置に移送される（チャック３３，３３に挟持されて移送経路２１とは別の移送経路をたどる）。二連袋５の移送に着目すれば、前記切り離し装置は、切り離し機能を有する移送装置ということもできる。
【００３２】
チャック３３，３３が前記挟持位置から開放位置に移動する過程（二連袋５が移送経路２１から外れて前記所定位置に移送される過程）を、図６，７を参照して説明する。
図６（ａ），７（ａ）では、チャック３３，３３は前記挟持位置において二連袋５の袋５ａ，５ｂを挟持している。このとき、チャック３３，３３の間隔はＤ０である。チャック３３，３３がこの挟持位置から移動を開始し（移動方向は前記移送経路２１の法線方向）、所定距離移動した時点で（図７（ｂ）参照）、チャック３３，３３の互いの間隔が広がり始める。これ以降、二連袋５の各袋５ａ，５ｂはそれぞれ袋幅方向外向きに引っ張られ、中央シール部８のミシン目１１が切り離され、二連袋５は独立した個々の袋５ａ，５ｂに分離される（図６（ｂ），図７（ｃ）参照）。このとき、チャック３３，３３の間隔はＤ１（＞Ｄ０）となっている。ミシン目１１は、停止位置３において予備的に一部（下方部分）が切り離されているため、チャック３３，３３の互いの間隔を余り大きく広げなくても、ミシン目１１の切り離しは確実に行われる。なお、図７に示す２点鎖線３４は、ミシン目１１の移動軌跡を示す。
【００３３】
チャック３３，３３が前記移送経路２１の法線方向に移動して、前記開放位置に到達したとき（図６（ｃ），図７（ｄ）参照）、袋５ａ，５ｂは前記所定位置（この例では、後述する真空処理装置のチャンバー本体内）に達する。続いて、前記チャンバー本体内に設置されたグリッパー３５により，チャック３３，３３のやや下付近を水平に挟持される。グリッパー３５は、チャンバー本体に水平に固定された固定部３５ａと、チャンバー本体に水平面内で揺動自在に設置された可動部３５ｂからなる（特許第２５３８４７３号公報参照）。なお、図７（ｄ）は袋５ａ，５ｂが前記所定位置に到達直後の状態（グリッパー３５が開いている）を示す。
【００３４】
グリッパー３５が袋５ａ，５ｂを挟持した後、チャック３３，３３が開いて袋５ａ，５ｂを開放し、これにより、袋詰め包装装置１の側部グリッパー１３と中央部グリッパー１４から、真空処理装置２のグリッパー３５（本発明でいう次工程のグリッパー）への袋５ａ，５ｂの受け渡し工程が完了する。開いたチャック３３，３３は、元の挟持位置（図７（ａ）参照）に向けて復帰移動する。
（８）停止位置８は、空き位置であり、包装処理は行われない。
【００３５】
真空処理装置２は、移動及び停止を繰り返しながら間欠回転（図１において右回転）するテーブル４１を備え、テーブル４１の周囲にチャンバー本体４２が等間隔で設置され、各チャンバー本体４２に対応してチャンバー蓋４３が開閉自在に設置されている。チャンバー本体４２とチャンバー蓋４３により真空チャンバー４４が構成されている。チャンバー本体４２内に、前記グリッパー３５（固定部３５ａと可動部３５ｂ）が設置されている。
【００３６】
チャンバー本体４２は、テーブル４１の間欠回転に伴い水平な円形の移動経路上を間欠移動する（テーブル上の数字１〜１０は停止位置を示す）。停止位置１では、チャック３３，３３から、被充填物２６，２９を充填済みの袋５ａ，５ｂをチャンバー本体４２内に受け入れ、先に説明したとおり、グリッパー３５が閉じて袋５ａ，５ｂを挟持する。続いて、テーブル４１が一回転する間に、チャンバー蓋４３の閉鎖、真空チャンバー４４内での真空処理、袋口のシール及びシール部の冷却等の各種真空処理行程が順次行われ、停止位置１０において、チャンバー蓋４３が開き、続いてグリッパー３５（可動部３５ｂ）が開いて、真空処理が終了した袋５ａ，５ｂが放出され、コンベア３により次工程（例えば梱包）に向けて搬送される。
この真空処理装置２は、基本的に特許第２５３８４７３号公報や特開２０１４−０３７２５２号公報に記載されたものと同じである。
【００３７】
［第２の実施の形態］
上記第１の実施の形態では、袋詰め包装装置１で行われた包装処理工程は充填工程までであり、袋口をシールしていない二連袋５（袋５ａ，５ｂ）が真空処理装置２に向けて移送され、その移送の過程でミシン目１１が切り離された。
一方、この種の袋詰め包装装置において、被充填物の充填後に、袋口のシールが行われる場合がある。この場合、シール後の二連袋５（袋５ａ，５ｂ）は前記袋詰め包装装置から所定位置（例えば分離した袋５ａ，５ｂの放出が行われる位置）に移送され、その移送の過程でミシン目１１が切り離される。以下、仮に袋詰め包装装置１の前記停止位置６で袋口のシールが行われる（停止位置６の近傍にシール装置が設置されている）と想定して、その場合の包装処理工程を、図８〜１０を参照して説明する。
【００３８】
二連袋５が側部グリッパー１３，１３及び中央部グリッパー１４に挟持され、移送経路２１に沿って前記停止位置６に向けて移送されてきたとき、図８（ａ）に示すように、前記停止位置６では、前記シール装置の一部である２組の熱板４５，４５，４６，４６が開いた状態で待機している。二連袋５が停止位置６に停止すると、図８（ｂ）に示すように、熱板４５，４５，４６，４６が閉じ、二連袋５の袋５ａ，５ｂの上縁部をシールする。シール後、熱板４５，４５，４６，４６が開いて袋５ａ，５ｂが開放され（図８（ｃ）参照）、二連袋５（袋５ａ，５ｂ）は次の停止位置７に向けて移送される。図８（ｃ）において、４７は上縁部のシール部である。
【００３９】
停止位置７の近傍に、これまで説明したものと同じ切り離し装置（切り離し機能を有する移送装置）が設置されている。切り離し装置は、停止位置７に停止した二連袋５の袋５ａ，５ｂを挟持する挟持位置と、前記袋５ａ，５ｂを開放する開放位置の間を移動する左右一対のチャック３３，３３（図９参照）を備える。図１０に示すように、チャック３３，３３は、前記挟持位置から開放位置に向けて移動する過程で互いの間隔を広げ、逆に、前記開放位置から挟持位置に向けて復帰移動する過程で互いの間隔を狭める（元の間隔に戻る）。
【００４０】
次に、図９，１０を参照して、チャック３３，３３による製品袋放出工程（袋詰め包装装置１の端部グリッパー１３，１３及び中央部グリッパー１４から二連袋５を受け取り、所定位置で袋５ａ，５ｂを放出する工程）について、より詳細に説明する。
二連袋５が停止位置７に停止すると、図９（ａ），（ｂ）に示すように、チャック３３，３３が閉じて、それぞれ二連袋５の袋５ａ，５ｂの上端部を挟持する。チャック３３，３３が二連袋５の袋５ａ，５ｂを挟持した後、図９（ｃ）に示すように、側部グリッパー１３，１３と中央部グリッパー１４が開き、以後、二連袋５はチャック３３，３３に挟持され、吊り下げられた状態で、移送経路２１から外れて前記所定位置に移送される（チャック３３，３３に挟持されて移送経路２１とは別の移送経路をたどる）。
【００４１】
チャック３３，３３が前記挟持位置から開放位置に移動する過程（二連袋５が移送経路２１から外れて前記所定位置に移送される過程）を、図１０を参照して説明する。
図１０（ａ）（図９（ｃ）と同じタイミング）では、チャック３３，３３は前記挟持位置において二連袋５の袋５ａ，５ｂを挟持している。このとき、チャック３３，３３の間隔はＤ０である。チャック３３，３３がこの挟持位置から移動を開始し（移動方向は前記移送経路２１の法線方向）、所定距離移動した時点で（図１０（ｂ）参照）、チャック３３，３３の互いの間隔が広がり始める。これ以降、二連袋５の各袋５ａ，５ｂはそれぞれ袋幅方向外向きに引っ張られ、中央シール部８のミシン目１１が切り離され、二連袋５は独立した個々の袋５ａ，５ｂに分離される（図１０（ｃ）参照）。このとき、チャック３３，３３の間隔はＤ１（＞Ｄ０）となっている。ミシン目１１は、停止位置３において予備的に一部（下方部分）が切り離されているため、チャック３３，３３の互いの間隔を余り大きく広げなくても、ミシン目１１の切り離しは確実に行われる。なお、図１０に示す２点鎖線３４は、ミシン目１１の移動軌跡を示す。
【００４２】
チャック３３，３３が前記開放位置に到達すると、袋５ａ，５ｂは前記所定位置に達し、図１０（ｄ）に示すように、チャック３３，３３が開いて袋５ａ，５ｂが開放（放出）される。これにより袋詰め包装装置１からの製品放出工程が完了する。放出された製品袋（袋５ａ，５ｂ）は下方に配置されたコンベア等により次工程（梱包等）に向けて搬出される。また、開いたチャック３３，３３は、元の挟持位置に向けて復帰移動する。
【００４３】
［第３の実施の形態］
なお、以上説明した例では、二連袋５のミシン目１１を切り離す切り離し装置が、袋詰め包装装置１の停止位置７の近傍に配置されていたが、この切り離し装置を、例えば前記２ローター式縦型包装処理機の真空処理装置２の停止位置１０の近傍に配置することもできる。包装処理装置１の停止位置７の近傍には、前記切り離し装置に代えて、二連袋４のミシン目１１の切り離しを行わない移送装置を配置すればよい。この場合、真空処理装置２のチャンバー本体４２内から二連袋５を取り出すとき、ミシン目１１の切り離しが行われる。
【００４４】
［第４の実施の形態］
次に図１１，１２を参照して、本発明に係る別の２ローター式縦型充填シール装置について説明する（図１に示す２ローター式縦型充填シール装置と実質的に同じ部位には、同じ番号を付与している）。
図１１に示す２ローター式縦型充填シール装置は、図１に示す２ローター式縦型充填シール装置とは、（１）袋詰め包装装置１の停止位置３に予備切り離し装置（挟持部材２４，２５を有するもの）がなく、停止位置６に予備切り離し装置５１が配置されている点、（２）真空処理装置２の停止位置９において真空処理が終了した袋５ａ，５ｂが放出され、コンベア３により次工程に向けて搬送され、停止位置１０が空き位置である点のみが異なる。
ここでは、図１１，１２に示す２ローター式縦型充填シール装置について、予備切り離し装置５１についての説明のみ行う。
【００４５】
図１２に示すように、予備切り離し装置５１は、二連袋５の移送経路２１の両側に対向して配置された一対の押圧板５２，５３を備える。各押圧板５２，５３は、それぞれ縦方向に同じ断面形状を有し、中央部に形成された凹溝５２ａ，５３ａを挟んで、二連袋５の各袋５ａ，５ｂを押圧する一対の平らな押圧部５２ｂ，５２ｃ及び５３ｂ，５３ｃが形成されている。また、凹溝５２ａの中間位置に縦に凸条５４が形成され、前記凸状５４の先端（稜線部）５４ａは凹溝５２ａの縁より高く突出している。押圧板５２，５３の上端は、側部グリッパー１３，１３及び中央部グリッパー１４の下端よりやや下に位置し、下端は二連袋５の下端より下に位置している。
押圧板５２，５３は、移送経路２１の法線方向（二連袋５の袋面に対し垂直）に水平面内で前進又は後退し、前進したとき押圧部５２ｂ，５３ｂで袋５ａを両面から押圧し、かつ押圧部５２ｃ，５３ｃで袋５ｂを両面から押圧する。
【００４６】
図１２（ａ）に示すように、二連袋５が側部グリッパー１３，１３及び中央部グリッパー１４に挟持され、移送経路２１に沿って停止位置６に向けて移送されるとき、押圧板５２，５３は開いた状態で待機している。二連袋５が停止位置６に停止すると、図１２（ｂ），（ｃ）に示すように、押圧板５２，５３が前進して、押圧部５２ｂ，５３ｂ，５２ｃ，５３ｃが袋５ａ，５ｂを両面から押圧し、次いで凸条５４の先端がミシン目１１に押し込まれる。これにより前記ミシン目１１は、中央シール部８の下端から所定距離上方（この例では側部グリッパー１３，１３及び中央部グリッパー１４の下端近傍）までの範囲で切り離され、同時に袋５ａ，５ｂが押圧部５２ｂ，５３ｂ，５２ｃ，５３ｃによって、平らな形状にプレス整形される。
【００４７】
図１に示す袋詰め包装装置１の停止位置３に設置された予備切り離し装置（挟持部材２４，２５を備えるもの）は、充填工程前に二連袋５のミシン目１１を切り離すため、被充填物（固形）２６が壊れやすいものであっても、ミシン目１１の予備切り離しができる。一方、図１１，１２に示す予備切り離し装置５１は、押圧板５２，５３が袋５ａ，５ｂを両面から押圧するため、被充填物（固形）２６が壊れにくいものの場合に適する。
【００４８】
［第５の実施の形態］
以上説明した切り離し装置（チャック３３，３３）は、袋詰め包装装置１に供給される袋が二連袋５であったため、前記［第１の実施の形態］で説明した受け渡し工程（袋詰め包装装置１の端部グリッパー１３，１３及び中央部グリッパー１４から二連袋５を受け取り、真空包装機２のグリッパー３５へ袋５ａ，５ｂを引き渡す工程）、又は前記［第２の実施の形態］で説明した製品袋放出工程（袋詰め包装装置１の端部グリッパー１３，１３及び中央部グリッパー１４から二連袋５を受け取り、所定位置で袋５ａ，５ｂを放出する工程）において、チャック３３，３３の相互の間隔を広げ、二連袋５のミシン目１１を切り離していた。
【００４９】
一方、前記切り離し装置（チャック３３，３３）において、チャック３３，３３の相互の間隔を広げ又は狭める駆動源（例えばエアシリンダー）を作動させなければ、前記切り離し装置を単なる移送装置として利用できる。従って、袋詰め包装装置１に供給される袋が二連袋でない通常の平袋である場合でも、前記切り離し装置を用いて（ただし、前記駆動源を作動させることなく）、同様の受け渡し工程又は製品袋放出工程を実施することができる。前記駆動源の作動・非作動の制御は、袋詰め包装装置１に供給される袋の種類（二連袋５か通常の平袋か）により、制御装置４により行う。
【００５０】
［第６の実施の形態］
例えば前記［第１の実施の形態］又は［第２の実施の形態］において、二連袋５が前記移送経路上を前記切り離し装置（チャック３３，３３）が配置された停止位置７に到達する前に、二連袋５の袋５ａ，５ｂのいずれか一方又は双方に何らかの不良（開口ミス、充填量不足、シール不良等）が発見されたとき、当該不良袋をチャック３３，３３から次工程（真空包装装置２）のグリッパー３５に引き渡さず、又は袋詰め包装装置外に製品袋として放出しないことが好ましい。
【００５１】
この場合、チャック３３，３３の開閉を別々の駆動源（例えばエアシリンダー）で行うこととし、移送経路２１（停止位置７又はそれより上流側）の近傍に袋５ａ，５ｂの不良を検知する検知手段を配置し、前記検知手段の検知信号に基づいて、制御装置４により前記チャック３３，３３が開くタイミングを制御する。
例えば前記［第１の実施の形態］において、仮に一方の袋５ａに不良が検知された場合、袋５ａを挟持したチャック３３を、二連袋５のミシン目１１が切り離されてから（図７（ｃ）参照）、チャック３３，３３が所定位置（真空処理装置２のチャンバー本体４２内）に達する（図７（ｄ）参照）直前までの間の適宜のタイミングで開き、袋５ｂを挟持したチャック３３は、チャック３３，３３が前記所定位置に達して後開く。これにより、不良袋である袋５ａは事前に回収され、真空処理装置２のグリッパー３５に引き渡されずに済む。
また、例えば前記［第２の実施の形態］においても、仮に一方の袋５ａに不良が検知された場合、袋５ａを挟持したチャック３３を、二連袋５のミシン目１１が切り離されてから（図１０（ｃ）参照）、チャック３３，３３が所定位置に達する（図１０（ｄ）参照）直前までの間の適宜のタイミングで開き、袋５ｂを挟持したチャック３３は、チャック３３，３３が前記所定位置に達して後開く。これにより、不良袋である袋５ａは事前に回収され、製品袋として後工程（梱包等）に搬送されずに済む。
【００５２】
［第７の実施の形態］
特許第５３９９３３０号公報及び特開２０１３−１４２００３号公報には、ダブル型の袋詰め包装機のグリッパーに挟持され互いに所定間隔を置いて袋幅方向に配列した２個の製品袋をコンベア上に放出する場合に用いられる、ダブル型製品袋取出装置が記載されている。このダブル型製品袋取出装置は、前記２個の製品袋の上端部を挟持する一対のチャックを備え、前記一対のチャックは、前記２個の製品袋を挟持して所定位置に移送する過程で並進運動を行い、前記製品袋の袋幅方向に配列した状態から、製品袋の厚み方向に配列した状態へ相対位置を変える。これに伴い、前記２個の製品袋は、前記グリッパーが開いた後、前記一対のチャックにより前記所定位置に移送されると共に、袋幅方向に配列した状態から、厚み方向に配列した状態へ相対位置を変える。
【００５３】
前記ダブル型製品取出装置と同様の装置を、本発明に係る袋詰め包装装置の切り離し装置として利用することができる。この場合、切り離し装置の一対のチャックは、側部グリッパー１３，１３及び中央部グリッパー１４に挟持された二連袋５の各袋５ａ，５ｂの上端部を挟持し、次いで前記側部グリッパー１３，１３及び中央部グリッパー１４が開いた後、各袋５ａ，５ｂを所定位置に移送する過程で前記並進運動を行う。これに伴い、各袋５ａ，５ｂは前記一対のチャックにより互いに反対方向に引っ張られ、前記ミシン目１１で切り離され、前記一対のチャックに挟持されて前記所定位置に到達したとき、袋の厚み方向に配列される。この切り離し装置は、前記袋詰め包装装置において行われる包装処理工程に袋口のシール工程が含まれる場合に、前記シール工程が行われる停止位置より下流側の停止位置に配置される。
【符号の説明】
【００５４】
１  袋詰め包装装置
２  真空処理装置
５  二連袋
５ａ，５ｂ  二連袋を構成する個々の袋
１１  切り離し部（ミシン目）
１３  側部グリッパー
１４  中央部グリッパー
２１  二連袋の移送経路
２２，２３  進退ブロック
２４，２５  挟持部材
３３  切り離し装置のチャック
３５  真空処理装置のグリッパー
４２  真空チャンバー本体
５１  予備切り離し装置
５２，５３  押圧板
５４  凸条
【図１】
0006329098.tif 000002
【図２】
0006329098.tif 000003
【図３】
0006329098.tif 000004
【図４】
0006329098.tif 000005
【図５】
0006329098.tif 000006
【図６】
0006329098.tif 000007
【図７】
0006329098.tif 000008
【図８】
0006329098.tif 000009
【図９】
0006329098.tif 000010
【図１０】
0006329098.tif 000011
【図１１】
0006329098.tif 000012
【図１２】
0006329098.tif 000013